(57)【特許請求の範囲】
【請求項１】
装置本体内部に着脱自在に装着される給紙カセットと、
前記給紙カセットの上方にて装置本体内部に仮止めされ、手差しトレイからの用紙の搬送路を構成するガイド部材と、
前記給紙カセットが前記装置本体内部から引き出されている場合に、前記手差しトレイからの用紙の給紙切替が可能かどうかを判断する給紙切替判断部と、
前記給紙切替判断部による判断結果が可能であれば、前記手差しトレイからの給紙を行わせるシステム制御部とを備え、
前記給紙切替判断部は、前記手差しトレイにセットされる用紙の重さ又は給紙の際の前記ガイド部材に対する衝撃力と、前記ガイド部材の前記仮止めを維持できる耐荷重又は耐衝撃力とを比較し、前記用紙の重さ又は衝撃力が、前記ガイド部材の耐荷重又は耐衝撃力を超えない場合、前記手差しトレイからの用紙の給紙切替が可能であると判断する
ことを特徴とする画像形成装置。
【請求項２】
前記給紙切替判断部は、様々な用紙毎の前記重さ及び前記衝撃力についての計測値と、それぞれの用紙毎の給紙切替可否を示す給紙切替可否情報を参照し、前記給紙切替の判断を行うことを特徴とする請求項１に記載の画像形成装置。
【発明の詳細な説明】
【技術分野】
【０００１】
本発明は、原稿を読み取って画像データを生成する画像形成装置に関する。
【背景技術】
【０００２】
たとえば、プリンター、多機能プリンター、複合機などのＭＦＰ（Ｍｕｌｔｉｆｕｎｃｔｉｏｎ  Ｐｅｒｉｐｈｅｒａｌ）である画像形成装置においては、給紙カセットに収容した用紙を１枚ずつ印字機構部側に導くための搬送路へ送り出す自動給紙機構部が搭載されている場合が多い。また、画像形成装置には、様々な種類の用紙をセットすることができる手差しトレイが搭載されている場合も多い。
【０００３】
ところで、手差しトレイにセットされた用紙は、搬送路を構成するガイド部材によって印字機構部側に搬送される。なお、このガイド部材は、何らかの原因によって落下した場合、給紙カセットによって受け止められるように、給紙カセットの上部に配置されている。
【０００４】
すなわち、ガイド部材には、手差しトレイにセットされた用紙を給紙するための複数の搬送ローラーなどが設けられている。そのため、手差しトレイにセットされた用紙の給紙中に複数の搬送ローラーや用紙の重みによりガイド部材が下方に撓んで変形するおそれがある。
【０００５】
また、ガイド部材は、たとえば装置本体内部のフレームなどに仮止めされている場合が多い。これは、たとえばガイド部材上で用紙ジャムなどが生じた場合、ガイド部材の仮止めを解くことで搬送路の隙間を広げ、内部につまった用紙を取り除けるようにするためである。
【０００６】
このように、ガイド部材が、たとえば装置本体内部のフレームなどに仮止めされていることから、給紙カセットの上部に配置されていることで、仮に落下したとしても、給紙カセットにより受け止められる。なお、ガイド部材と給紙カセットとの間には、装置本体からの給紙カセットの引き出しを阻害しない程度の微小の隙間が設けられている。
【０００７】
このような給紙カセットによりガイド部材を支える構成を示したものとして、特許文献１では、給紙カセットに設けられている用紙の幅方向の位置を規制するサイド規制部材の上面に支持部を突設し、この支持部によりガイド部材の変形を規制する画像形成装置を提案している。
【先行技術文献】
【特許文献】
【０００８】
【特許文献１】特開２０１３−１７３５７８
【発明の概要】
【発明が解決しようとする課題】
【０００９】
上述した特許文献１では、既存のサイド規制部材の上面に支持部を突設しているため、簡単な構成でガイド部材の変形などを規制することができる。
【００１０】
ところで、近年では、コストダウンにより、給紙カセットのオープン／クローズを検出するカセット検出センサーを省いた画像形成装置も開発されつつある。なお、オープンとは給紙カセットが装置本体から引き出された状態であり、クローズとは給紙カセットが装置本体に装着されている状態である。
【００１１】
また、カセット検出センサーを省いた画像形成装置では、用紙検出センサーにより給紙カセット内の用紙の有無の検出は可能であるものの、給紙カセットがオープンであるかクローズであるかの判断はできないことになる。
【００１２】
この場合、たとえば印刷中に、検知センサーにより搬送路中での用紙の搬送が検知されているとき、用紙検出センサーによる検出結果が用紙有りから用紙無しに変化すると、給紙カセットの用紙が無くなったと判断することができると同時に、給紙カセットがクローズであると判断することができるものと考えられる。
【００１３】
また、たとえば印刷中に、検知センサーにより用紙の搬送路中での搬送が検知されていないとき、用紙検出センサーによる検出結果が用紙有りから用紙無しに変化すると、給紙カセットがオープンであると判断することができるものと考えられる。
【００１４】
また、手差しトレイからの給紙が可能な画像形成装置では、上述した理由から、手差しトレイからの給紙の搬送路を構成するガイド部材を給紙カセットによって支える構成であるため、一般に手差しトレイからの給紙時に給紙カセットがオープンであれば、用紙ジャムなどを避けるために、印刷が中断される。
【００１５】
ところで、給紙カセットがオープン時での印刷の中断を長引かせないためには、手差しトレイに給紙可能な用紙がセットされているとき、手差しトレイからの給紙に切り替えることが考えられる。
【００１６】
ところが、単に、手差しトレイにセットされている用紙への給紙に切り替えてしまうと、用紙の重さや給紙時の衝撃などにより、ガイド部材の仮止めが解かれ、ガイド部材の位置ズレなどにより、手差しトレイからの給紙を確実に行うことができなくなるばかりか、印刷の中断が長引いてしまうという問題があった。
【００１７】
本発明は、このような状況に鑑みてなされたものであり、上記問題点を解消することができる画像形成装置を提供することを目的とする。
【課題を解決するための手段】
【００１８】
本発明の画像形成装置は、装置本体内部に着脱自在に装着される給紙カセットと、前記給紙カセットの上方にて装置本体内部に仮止めされ、手差しトレイからの用紙の搬送路を構成するガイド部材と、前記給紙カセットが前記装置本体内部から引き出されている場合に、前記手差しトレイからの用紙の給紙切替が可能かどうかを判断する給紙切替判断部と、前記給紙切替判断部による判断結果が可能であれば、前記手差しトレイからの給紙を行わせるシステム制御部とを備え、前記給紙切替判断部は、前記手差しトレイにセットされる用紙の重さ又は給紙の際の前記ガイド部材に対する衝撃力と、前記ガイド部材の前記仮止めを維持できる耐荷重又は耐衝撃力とを比較し、前記用紙の重さ又は衝撃力が、前記ガイド部材の耐荷重又は耐衝撃力を超えない場合、前記手差しトレイからの用紙の給紙切替が可能であると判断することを特徴とする。
また、前記給紙切替判断部は、様々な用紙毎の前記重さ及び前記衝撃力についての計測値と、それぞれの用紙毎の給紙切替可否を示す給紙切替可否情報を参照し、前記給紙切替の判断を行うことを特徴とする。
本発明の画像形成装置では、給紙切替判断部が、給紙カセットが装置本体内部から引き出されている場合に、手差しトレイからの用紙の給紙切替が可能かどうかを判断し、判断結果が可能であれば、システム制御部が手差しトレイからの給紙を行わせる。
つまり、たとえば印刷中に、給紙カセット内の用紙が無くなると、給紙カセットを装置本体内部から引き出して新たな用紙を補給し、装置本体内部に戻すことがある。また、無給紙ジャムなどが生じると、給紙カセットを装置本体内部から引き出して紙詰まりしている用紙を取り除き、給紙カセットを装置本体に戻すことがある。この場合、給紙カセットが装置本体内部から引き出されることにより、給紙カセットからの給紙ができないため、エラーとなり、用紙への印刷が中断してしまう。
そこで、給紙カセットが装置本体内部から引き出された際に、手差しトレイに給紙可能な用紙がセットされていれば、手差しトレイからの給紙に切り替えることで、給紙を続行させることができる。
【発明の効果】
【００１９】
本発明の画像形成装置によれば、給紙カセットが装置本体内部から引き出された際に、手差しトレイに給紙可能な用紙がセットされていれば、手差しトレイからの給紙に切り替えることで、給紙を続行させるので、給紙カセットがオープン（装置本体から引き出されている状態）であっても印刷の中断時間を短縮することができ、さらに手差しトレイからの給紙を確実に行うことができる。
【図面の簡単な説明】
【００２０】
【図１】本発明の画像形成装置をＭＦＰとした場合の一実施形態を示す図である。
【図２】図１のガイド部材を説明するための図である。
【図３】図１のＭＦＰの構成を示す図である。
【図４】図３の給紙切替判断部が参照する給紙切替可否情報を説明するための図である。
【図５】図１のＭＦＰによる給紙切替における動作を説明するためのフローチャートである。
【発明を実施するための形態】
【００２１】
以下、本発明の画像形成装置の一実施形態を、図１〜図５を参照しながら説明する。なお、以下の説明においての画像形成装置の一例としては、たとえばコピー、プリント、ＦＡＸ（Ｆａｃｓｉｍｉｌｅ）などの各ジョブのマルチ動作機能などを搭載した複合的な周辺機器であるＭＦＰ（Ｍｕｌｔｉｆｕｎｃｔｉｏｎ  Ｐｅｒｉｐｈｅｒａｌ）であるものとする。
【００２２】
まず、図１に示すように、ＭＦＰ１００は、ＭＦＰ本体１０１の内部に感光ドラムなどを有する印字機構部１０２を搭載している。印字機構部１０２の下方には、ガイド部材１２０と給紙カセット１３０が配置されている。また、ＭＦＰ本体１０１には、手差しトレイ１４０が設けられている。
【００２３】
そして、手差しトレイ１４０にセットされた用紙２００が給紙されるとき、駆動
ローラー１５０及び従動ローラー１５１が用紙２００を１枚毎にガイド部材１２０の搬送路１２１側に引き込む。次いで、駆動ローラー１５２及び従動ローラー１５３が搬送路１２１側に引き込まれた用紙２００を搬送路１５７に沿って印字機構部１０２に送り出す。
【００２４】
印字機構部１０２の近傍には、搬送路１５７によって搬送される用紙２００を検知するための検知センサー１５４が配置されている。印字機構部１０２によって印字された用紙２００は、図示しない駆動ローラー及び従動ローラーにより、搬送路１５８に沿って排紙トレイ１６０に排出される。なお、排紙トレイ１６０の近傍には、搬送路１５８によって搬送される用紙２００を検知するための検知センサー１５６が配置されている。
【００２５】
ここで、ガイド部材１２０の後端１２２は、ＭＦＰ本体１０１の内部のフレームなどに軸１２３を介して回動自在に支持されている。ガイド部材１２０の先端１２４には、たとえば上方に向けられた爪部１２５が設けられている。爪部１２５は、たとえばＭＦＰ本体１０１の内部のフレームなどに設けられた凹部などに係止されるものである。爪部１２５が凹部などに係止されることで、ガイド部材１２０の先端１２４が仮止めされる。なお、ガイド部材１２０の先端１２４は、爪部１２５に限らず、マグネットやバネなどによって仮止めされていてもよい。ここで、給紙カセット１３０が引き出されても、仮止めはガイド部材の自重で外れない程度の強度を有している。従って、ガイド部材１２０は、給紙カセット１３０が引き出された状態でも、仮止めされた状態を維持することが可能である。
【００２６】
そして、手差しトレイ１４０からの用紙２００の給紙中にガイド部材１２０の搬送路１２１上で用紙ジャムが生じた場合、図２に示すように、給紙カセット１３０をＭＦＰ本体１０１から引き出し、ガイド部材１２０の先端１２４を押し下げることができる。このとき、爪部１２５の仮止めが外れ、ガイド部材１２０の先端１２４が軸１２３を支点として下方に回動する。これにより、ガイド部材１２０の搬送路１２１の隙間が広げられるため、内部につまった用紙２００を取り除ける。なお、ガイド部材１２０には、手差しトレイ１４０にセットされた用紙２００を給紙するための複数の搬送ローラーなどが設けられているが、ここではその図示を省略している。
【００２７】
ここで、ガイド部材１２０は、給紙カセット１３０の上部に配置されている。これにより、給紙カセット１３０がオープン（ＭＦＰ本体１０１から引き出されている状態）のとき、ガイド部材１２０の先端１２４が何らかの原因により落下しないように給紙カセット１３０によって支えられる構成となっている。
【００２８】
また、給紙カセット１３０には、収容された用紙２０１の一端側２０２をリフト部材１３１の上昇力によって押し上げるリフト板１３２が設けられている。なお、リフト部材１３１は、給紙カセット１３０がクローズ（ＭＦＰ本体１０１の内部に収容されている状態）されると、上昇する。
【００２９】
そして、リフト板１３２がリフト部材１３１により押し上げられると、リフト板１３２上の用紙２０１の先端部分が繰り出しローラー１５２ａに押し付けられる。これにより、給紙カセット１３０内の用紙２０１が繰り出しローラー１５２ａにより、１枚ずつ繰り出される。また、リフト板１３２上の用紙２０１の先端部分が押し上げられている状態で、用紙検出センサー１０３による用紙２０１の検出が行われる。
【００３０】
なお、給紙カセット１３０のオープン／クローズは、後述の給紙切替判断部１８０により判断することができる。すなわち、たとえば印刷中に、検知センサー１５４、１５６により搬送路１５７、１５８中での用紙の搬送が検知されているとき、用紙検出センサー１０３による検出結果が用紙有りから用紙無しに変化すると、給紙切替判断部１８０は、給紙カセット１３０の用紙が無くなったと判断することができると同時に、給紙カセット１３０がクローズであると判断する。
【００３１】
また、たとえば印刷中に、検知センサー１５４、１５６により用紙の搬送路１５７、１５８中での搬送が検知されていないとき、用紙検出センサー１０３による検出結果が用紙有りから用紙無しに変化すると、給紙切替判断部１８０は、給紙カセット１３０がオープンであると判断する。
【００３２】
なお、用紙検出センサー１０３は、メカニカル的なものであってもよいし、光学的なものであってよい。
【００３３】
そして、給紙カセット１３０内の用紙２０１が給紙されるとき、用紙２０１は、繰り出しローラー１５２ａにより１枚毎に繰り出され、駆動ローラー１５２及び従動ローラー１５３により、上記同様に、搬送路１５７に沿って印字機構部１０２に送り出される。印字機構部１０２によって印字された用紙２０１は、図示しない駆動ローラー及び従動ローラーにより、搬送路１５８に沿って排紙トレイ１６０に排出される。
【００３４】
次に、図３を参照し、ＭＦＰ１００の構成について説明する。ＭＦＰ１００は、制御部１７０、スキャナー部１９０、プリンター部１９１、ＦＡＸ部１９２、Ｉ／Ｆ（インターフェース）１９３、用紙検出センサー１０３、検知センサー１５４、１５６、パネル部１９４を備えている。
【００３５】
スキャナー部１９０は、イメージセンサー（図示省略）によって読み取られる原稿の画像データを制御部１７０に入力する。すなわち、スキャナー部１９０は、イメージセンサー（図示省略）からの原稿の画像信号をデジタルの画像データに変換し、順次、制御部１７０に入力する。
【００３６】
プリンター部１９１は、制御部１７０から出力される画像データに基づき、用紙２００、２０１上に画像をプリントする。ＦＡＸ部１９２は、制御部１７０から出力される画像データを、電話回線を通じ相手方となるファクシミリへと送信し、また、相手方ファクシミリからの画像データを受信して制御部１７０に入力する。すなわち、ＦＡＸ部１９２は、図示しないＮＣＵ（Ｎｅｔｗｏｒｋ  Ｃｏｎｔｒｏｌ  Ｕｎｉｔ）により電話回線との接続を制御しつつ、制御部１７０から出力される画像データを圧縮し変調して、相手方ファクシミリへと送信する。また、ＦＡＸ部１９２は、ＮＣＵにより電話回線と接続しつつ、相手方ファクシミリからの画像データを復調し伸張して、制御部１７０に入力する。
【００３７】
Ｉ／Ｆ１９３は、社内ＬＡＮ（Ｌｏｃａｌ  Ａｒｅａ  Ｎｅｔｗｏｒｋ）などのネットワーク（図示省略）を介してたとえばクライアント端末（図示省略）との通信を行う。
【００３８】
用紙検出センサー１０３は、給紙カセット１３０に収容されている用紙２０１を検出する。検知センサー１５４、１５６は、搬送路１５７、１６２に沿って搬送される用紙２００、２０１を検知する。
【００３９】
パネル部１９４は、ＭＦＰ１００のプリンター機能、ＦＡＸ機能、スキャン機能のいずれかの選択や、各種設定を行うための操作ボタンなどを表示する。また、パネル部１９４は、給紙カセット１３０からの用紙２０１の給紙ができなくなった場合（給紙カセット１３０がオープンの場合）、手差しトレイ１４０に給紙可能な用紙２００がセットされていれば、手差しトレイ１４０からの用紙２００の給紙に切り替えるかどうかを設定する設定画面などを表示する。また、パネル部１９４は、手差しトレイ１４０に用紙２００をセットする際、後述のＡ４（薄口）２１１ａ、Ａ４（厚口）２１１ｂ、Ａ３（薄口）２１１ｃ、Ａ３（厚口）２１１ｄ、Ｂ５（薄口）２１１ｅ、Ｂ５（厚口）２１１ｆ、官製はがき２１１ｇのいずれかであるかの設定を受け付ける設定画面などを表示する。
【００４０】
制御部１７０は、ＭＦＰ１００全体の動作を制御するものであり、スキャナー制御部１７１、プリンター制御部１７２、ＦＡＸ（Ｆａｃｓｉｍｉｌｅ）制御部１７３、通信制御部１７４、ＲＡＭ（Ｒａｎｄｏｍ  Ａｃｃｅｓｓ  Ｍｅｍｏｒｙ）１７５、ＲＯＭ（Ｒｅａｄ  Ｏｎｌｙ  Ｍｅｍｏｒｙ）１７６、画像処理部１７７、用紙検出センサー制御部１７８、検知センサー制御部１７９、給紙切替判断部１８０、パネル操作制御部１８１、記憶部１８２、システム制御部１８３を備えている。また、これらは、データバス１８４に接続されている。
【００４１】
スキャナー制御部１７１は、スキャナー部１９０の読み取り動作を制御する。プリンター制御部１７２は、プリンター部１９１のプリント動作を制御する。ＦＡＸ制御部１７３は、ＦＡＸ部１９２による画像データの送受信動作を制御する。通信制御部１７４は、Ｉ／Ｆ１９３を介しての通信を制御する。
【００４２】
ＲＡＭ１７５は、プログラムを実行するためのワークメモリである。ＲＯＭ１７６には、各部の動作チェックなどを行う制御プログラムなどが記憶されている。画像処理部１７７は、たとえばスキャナー部１９０によって読み取られた原稿の画像データに対する画像処理を行う。
【００４３】
用紙検出センサー制御部１７８は、用紙検出センサー１０３による用紙検出動作を制御する。検知センサー制御部１７９は、検知センサー１５４、１５６による用紙２００、２０１の検知動作を制御する。
【００４４】
給紙切替判断部１８０は、パネル部１９４を介して給紙カセット１３０から手差しトレイ１４０への給紙切替の設定が行われているとき、給紙カセット１３０からの用紙２０１の給紙ができなくなった場合（給紙カセット１３０がオープンの場合）、手差しトレイ１４０に給紙可能な用紙２００がセットされていれば、たとえば図４に示す給紙切替可否情報２１０を参照し、手差しトレイ１４０からの用紙２００の給紙への切り替えが可能かどうかを判断する。
【００４５】
ここで、給紙切替可否情報２１０には、用紙の種類２１０ａ、サイズ２１０ｂ、重さ２１０ｃ、衝撃力２１０ｄ、給紙切替可否２１０ｅなどが示されている。用紙の種類２１０ａとしては、たとえばＡ４（薄口）２１１ａ、Ａ４（厚口）２１１ｂ、Ａ３（薄口）２１１ｃ、Ａ３（厚口）２１１ｄ、Ｂ５（薄口）２１１ｅ、Ｂ５（厚口）２１１ｆ、官製はがき２１１ｇなどが含まれている。
【００４６】
また、サイズ２１０ｂについては、規格に基づいた値が示されている。また、重さ２１０ｃについては、たとえば予め計測した値が示されている。また、衝撃力２１０ｄについても、たとえば予め計測した値が示されている。給紙切替可否２１０ｅについては、給紙カセット１３０がオープンのとき、手差しトレイ１４０にセットされている用紙２００の給紙切替の可否を○、×で示している。
【００４７】
すなわち、給紙カセット１３０がオープンのとき、手差しトレイ１４０にセットされている用紙２００に切り替えた際、上述した手差しトレイ１４０にセットされている用紙２００を搬送するガイド部材１２０の爪部１２５による仮止めである、ＭＦＰ本体１０１の内部のフレームの凹部との係止が外れないようにする必要がある。
【００４８】
そこで、予めガイド部材１２０の爪部１２５による、仮止めを維持できる耐荷重と耐衝撃力とを測定しておき、これらの耐荷重や耐衝撃力を超えない用紙２００については給紙切替を可能としている。ちなみに、図４では、Ａ４（薄口）２１１ａ及びＢ５（薄口）２１１ｅが給紙切替可能とされている。なお、官製はがき２１１ｇの場合、サイズ２１０ｂが小さく、重さ２１０ｃが軽いものの、他の用紙２００であるＡ４（薄口）２１１ａ、Ａ４（厚口）２１１ｂ、Ａ３（薄口）２１１ｃ、Ａ３（厚口）２１１ｄ、Ｂ５（薄口）２１１ｅ、Ｂ５（厚口）２１１ｆなどに比べ、比較的厚みがあり、給紙の際のガイド部材１２０に対する衝撃力が大きいため、給紙切替が不可となっている。
【００４９】
パネル操作制御部１８１は、パネル部１９４の表示動作を制御する。記憶部１８２には、上述した給紙切替可否情報２１０などが記憶されている。システム制御部１８３は、主にパネル部１３６によって給紙カセット１３０がオープンのとき、手差しトレイ１４０からの給紙への切り替えが設定されているとき、給紙切替判断部１８０による判断結果に基づき、給紙の切り替えを制御する。なお、システム制御部１８３は、給紙切替判断部１８０による判断結果が切替不可である場合、パネル操作制御部１８１を介し、パネル部１９４に給紙の切り替えが不可であることを示すエラー表示を行わせる。
【００５０】
次に、図５を参照し、ＭＦＰ１００による給紙切替における動作について説明する。なお、以下の説明においては、手差しトレイ１４０に用紙２００がセットされているものとする。また、手差しトレイ１４０にセットされた用紙２００については、パネル部１９４により上述したＡ４（薄口）２１１ａ、Ａ４（厚口）２１１ｂ、Ａ３（薄口）２１１ｃ、Ａ３（厚口）２１１ｄ、Ｂ５（薄口）２１１ｅ、Ｂ５（厚口）２１１ｆ、官製はがき２１１ｇのいずれかであるかの設定が行われているものとする。また、パネル部１９４を介し、給紙カセット１３０がオープンのとき、手差しトレイ１４０に給紙可能な用紙２００がセットされていれば、手差しトレイ１４０からの用紙２００の給紙に切り替えることが設定されているものとする。
【００５１】
まず、給紙切替判断部１８０は、印刷中かどうかを判断する（ステップＳ１０１）。給紙切替判断部１８０は、印刷中でなければ（ステップＳ１０１：Ｎｏ）、印刷開始待ちとなる。これに対し、給紙切替判断部１８０は、印刷中であると判断すると（ステップＳ１０１：Ｙｅｓ）、給紙カセット１３０がオープンかどうかを判断する（ステップＳ１０２）。
【００５２】
すなわち、給紙切替判断部１８０は、印刷中に、検知センサー１５４、１５６により搬送路１５７、１５８中での用紙の搬送が検知されているとき、用紙検出センサー１０３による検出結果が用紙有りから用紙無しに変化しなければ、給紙カセット１３０がクローズであると判断する（ステップＳ１０２：Ｎｏ）。この場合、システム制御部１８３は、給紙カセット１３０からの給紙を継続させる（ステップＳ１０３）。
【００５３】
これに対し、給紙切替判断部１８０は、印刷中に、検知センサー１５４、１５６により搬送路１５７、１５８中での用紙の搬送が検知されているとき、用紙検出センサー１０３による検出結果が用紙有りから用紙無しに変化すると、給紙カセット１３０がオープンであると判断する（ステップＳ１０２：Ｙｅｓ）。
【００５４】
また、給紙切替判断部１８０は、給紙カセット１３０がオープンであると判断すると、手差しトレイ１４０に用紙２００がセットされているかどうかを判断する（ステップＳ１０４）。給紙切替判断部１８０は、手差しトレイ１４０に用紙２００がセットされていないと判断すると（ステップＳ１０４：Ｎｏ）、システム制御部１８３に対し、手差しトレイ１４０に用紙２００がセットされていないことを通知する。
【００５５】
これにより、システム制御部１８３は、パネル操作制御部１８１を介してパネル部１９４に手差しトレイ１４０に用紙２００がセットされていないことを示すエラーを表示させる（ステップＳ１０６）。
【００５６】
これに対し、給紙切替判断部１８０は、手差しトレイ１４０に用紙２００がセットされていると判断すると（ステップＳ１０４：Ｙｅｓ）、給紙切替が可能かどうかを判断する（ステップＳ１０５）。
【００５７】
このとき、給紙切替判断部１８０は、手差しトレイ１４０にセットされた用紙２００についてパネル部１９４を介し既に設定されている、上述したＡ４（薄口）２１１ａ、Ａ４（厚口）２１１ｂ、Ａ３（薄口）２１１ｃ、Ａ３（厚口）２１１ｄ、Ｂ５（薄口）２１１ｅ、Ｂ５（厚口）２１１ｆ、官製はがき２１１ｇのいずれかの設定内容と、上述した給紙切替可否情報２１０とを比較し、給紙切替可能かどうかを判断する。
【００５８】
ここで、給紙切替判断部１８０は、手差しトレイ１４０にセットされた用紙２００がたとえばＡ４（薄口）２１１ａ又はＢ５（薄口）２１１ｅ以外であれば、給紙切替可否情報２１０の給紙切替可否が×であるため、給紙切替が不可能であると判断し（ステップＳ１０５：Ｎｏ）、システム制御部１８３に給紙切替が不可能であることを通知する。これにより、システム制御部１８３は、パネル操作制御部１８１を介してパネル部１９４に給紙切替が不可能であることを示すエラーを表示させる（ステップＳ１０６）。
【００５９】
これに対し、給紙切替判断部１８０は、手差しトレイ１４０にセットされた用紙２００がたとえばＡ４（薄口）２１１ａ又はＢ５（薄口）２１１ｅであれば、給紙切替可否情報２１０の給紙切替可否が○であるため、給紙切替が可能であると判断し（ステップＳ１０５：Ｙｅｓ）、システム制御部１８３に給紙切替が可能であることを通知する。これにより、システム制御部１８３は、手差しトレイ１４０からの給紙に切り替える（ステップＳ１０７）。
【００６０】
このように、本実施形態では、給紙切替判断部１８０が、給紙カセット１３０がＭＦＰ本体１０１内部から引き出されている場合に、手差しトレイ１４０からの用紙２００の給紙切替が可能かどうかを判断し、判断結果が可能であれば、システム制御部１８３が手差しトレイ１４０からの給紙を行わせる。
【００６１】
つまり、たとえば印刷中に、給紙カセット１３０内の用紙が無くなると、給紙カセット１３０をＭＦＰ本体１０１内部から引き出して新たな用紙２０１を補給し、ＭＦＰ本体１０１内部に戻すことがある。また、無給紙ジャムなどが生じると、給紙カセット１３０をＭＦＰ本体１０１内部から引き出して紙詰まりしている用紙を取り除き、給紙カセット１３０をＭＦＰ本体１０１内部に戻すことがある。この場合、給紙カセット１３０がＭＦＰ本体１０１内部から引き出されることにより、給紙カセット１３０からの給紙ができないため、エラーとなり、用紙への印刷が中断してしまう。
【００６２】
そこで、給紙切替判断部１８０が手差しトレイ１４０にセットされている用紙２００が給紙可能であると判断すると、システム制御部１８３が手差しトレイ１４０からの給紙に切り替えることで、給紙カセット１３０がオープン（ＭＦＰ本体１０１から引き出されている状態）であっても、手差しトレイ１４０からの給紙を確実に行わせることができ、しかも印刷の中断時間を短縮することができる。
【００６３】
また、給紙切替判断部１８０が様々な用紙２００毎の重さ及び衝撃力についての計測値と、それぞれの用紙２００毎の給紙切替可否を示す給紙切替可否情報２１０を参照することで給紙切替が可能かどうかを判断するため、給紙カセット１３０がオープンであっても、手差しトレイ１４０からの用紙２００の給紙による、ガイド部材１２０の位置ズレなどを発生させることなく、手差しトレイ１４０からの給紙を確実に行わせることができる。
【符号の説明】
【００６４】
１００  ＭＦＰ
１０１  ＭＦＰ本体
１０２  印字機構部
１０３  用紙検出センサー
１２０  ガイド部材
１２１、１５７、１５８  搬送路
１２２  後端
１２３  軸
１２４  先端
１２５  爪部
１３０  給紙カセット
１３１  リフト部材
１３２  リフト板
１３６  パネル部
１４０  手差しトレイ
１５０、１５２  駆動ローラー
１５２ａ  繰り出しローラー
１５１、１５３  従動ローラー
１５４、１５６  検知センサー
１６０  排紙トレイ
１７０  制御部
１７１  スキャナー制御部
１７２  プリンター制御部
１７３  ＦＡＸ制御部
１７４  通信制御部
１７５  ＲＡＭ
１７６  ＲＯＭ
１７７  画像処理部
１７８  用紙検出センサー制御部
１７９  検知センサー制御部
１８０  給紙切替判断部
１８１  パネル操作制御部
１８２  記憶部
１８３  システム制御部
１８４  データバス
１９０  スキャナー部
１９１  プリンター部
１９２  ＦＡＸ部
１９３  Ｉ／Ｆ
１９４  パネル部
２００、２０１  用紙
２１０  給紙切替可否情報
【図１】
0006038874.tif 000002
【図２】
0006038874.tif 000003
【図３】
0006038874.tif 000004
【図４】
0006038874.tif 000005
【図５】
0006038874.tif 000006